(57)【要約】【課題】簡単な構成でありながらも色むらの発生を良好に抑える。【解決手段】表示素子から各波長の光が入射される導光部材と、第一および第二の回折光学素子であって、導光部材に入射された各波長の光を該導光部材内部で全反射させて波長毎に異なる光路で伝搬させ、かつ表示素子に表示された画像の該表示素子内における画素位置関係が第二の回折光学素子上で再現されるように回折する第一の回折光学素子と、再現された各画素からの各波長の光を導光部材から略同一方向に射出させるように回折する第二の回折光学素子とを有する光束伝搬光学素子を提供する。【選択図】図２
2010033026.tif 000002
【特許請求の範囲】
【請求項１】
表示素子に表示された画像を複数種類の波長の光として伝搬する光伝搬光学素子において、
前記表示素子から各波長の光が入射される導光部材と、
第一および第二の回折光学素子であって、
前記導光部材に入射された各波長の光を、該導光部材内部で全反射させて波長毎に異なる光路で伝搬させ、かつ前記表示素子に表示された画像の該表示素子内における画素位置関係が前記第二の回折光学素子上で再現されるように回折する第一の回折光学素子と、
前記再現された各画素からの各波長の光を前記導光部材から略同一方向に射出させるように回折する第二の回折光学素子と、
を有することを特徴とする光束伝搬光学素子。
【請求項２】
前記第二の回折光学素子を２つ有し、
前記第一の回折光学素子は、入射された各波長の光を２つに分割するとともに、分割された各光を前記２つの第二の回折光学素子の各々に入射させるように回折することを特徴とする、請求項１に記載の光伝搬光学素子。
【請求項３】
表示素子に表示された画像を複数種類の波長の光として伝搬する光伝搬光学素子において、
前記表示素子から入射される各波長の光をそれぞれ二分割する光分割素子と、
各波長の全ての分割光が入射される導光部材と、
第一の回折光学素子、および分割光毎に対応して備えられた第二の回折光学素子であって、
前記導光部材に入射された各波長の分割光を、該導光部材内部で全反射させて波長毎に異なる光路で伝搬させ、かつ前記表示素子に表示された画像の該表示素子内における画素位置関係が各前記第二の回折光学素子上で再現されるように回折する第一の回折光学素子と、
前記再現された各画素からの各波長の光を前記導光部材から略同一方向に射出させるように回折する第二の回折光学素子と、
を有することを特徴とする光伝搬光学素子。
【請求項４】
各波長の分割光が入射される前記導光部材の入射面と前記光分割素子との間にエアギャップが形成されるように該光分割素子を配置したことを特徴とする、請求項３に記載の光伝搬光学素子。
【請求項５】
前記第二の回折光学素子は、前記再現された各画素からの各波長の光を前記導光部材の射出面と略垂直をなす方向に揃えて平行光として、または瞳の中心に向かって寄せるように射出することを特徴とする、請求項１から請求項４の何れか一項に記載の光伝搬光学素子。
【請求項６】
前記第一の回折光学素子は、前記表示素子に表示された画像の該表示素子内における各波長の画素位置関係を基準として、前記第二の回折光学素子上に再現される画素位置関係を略同一形状あるいは拡大された相似形状とするように各波長の光を回折することを特徴とする、請求項１から請求項５の何れか一項に記載の光伝搬光学素子。
【請求項７】
前記導光部材は、互いに平行な二平面であって、各波長の光が入射される入射面、および各波長の光が射出される射出面を有する板状の光学部材であることを特徴とする、請求項１から請求項６の何れか一項に記載の光伝搬光学素子。
【請求項８】
前記第一の回折光学素子は、反射型の体積位相型ホログラフィック光学素子、あるいはホログラフィック光学素子と光学レンズの組み合わせの何れかであり、前記第二の回折光学素子は、反射型または透過型の体積位相型ホログラフィック光学素子、あるいはホログラフィック光学素子と光学レンズの組み合わせの何れかであることを特徴とする、請求項１から請求項７の何れか一項に記載の光伝搬光学素子。
【請求項９】
前記第一および第二の回折光学素子がともに反射型の体積位相型ホログラフィック光学素子である場合に、該第一の回折光学素子が前記射出面上に、該第二の回折光学素子が前記入射面上に配置されていることを特徴とする、請求項７を引用する請求項８に記載の光伝搬光学素子。
【請求項１０】
前記第一、第二の回折光学素子がそれぞれ反射型、透過型の体積位相型ホログラフィック光学素子である場合に、該第一および第二の回折光学素子がともに前記射出面上に配置されていることを特徴とする、請求項７を引用する請求項８に記載の光伝搬光学素子。
【請求項１１】
前記第一および第二の回折光学素子は、各波長の光に対応する干渉縞が各々に記録されたフォトポリマーを複数枚積層した構成を有し、または、各波長の光に対応する干渉縞が記録された一層のフォトポリマーであるホログラフィック光学素子であることを特徴とする、請求項１から１０の何れか一項に記載の光伝搬光学素子。
【請求項１２】
前記フォトポリマーの層数は、前記導光部材を伝搬される光の波長の種類と同数または該種類よりも少数であることを特徴とする、請求項１０に記載の光伝搬光学素子。
【請求項１３】
前記第一の回折光学素子に記録された干渉縞パターンと前記第二の回折光学素子に記録された干渉縞パターンは、略同一ピッチであることを特徴とする、請求項１１または請求項１２の何れか一項に記載の光伝搬光学素子。
【請求項１４】
前記表示素子がフィールドシーケンシャルパネル方式である場合に、前記第一の回折光学素子は、該表示素子内の同一画素から射出された各波長の光を前記第二の回折光学素子上の略同位置に重ね合わせるように回折することを特徴とする、請求項１から請求項１３の何れか一項に記載の光伝搬光学素子。
【請求項１５】
前記表示素子が同時式である場合に、前記第一の回折光学素子は、前記画素位置関係が前記第二の回折光学素子上で忠実に再現されるように該表示素子内の各画素から射出された光を回折する、請求項１から請求項１３の何れか一項に記載の光伝搬光学素子。
【請求項１６】
各波長の光を射出する光源と、
前記光源から射出された各波長の光に所定の画像信号に応じた変調をかける表示素子と、
前記変調された各波長の光が入射される請求項１から請求項１５の何れか一項に記載の光伝播光学素子と、
を有することを特徴とする映像表示装置。
【請求項１７】
請求項１６に記載の映像表示装置と、
前記第二の回折光学素子が装着者の眼前に位置するように前記映像表示装置を支持する支持手段と、
を有することを特徴とするヘッドマウントディスプレイ。
【発明の詳細な説明】
【技術分野】
【０００１】
本発明は、複数種類の波長の光を伝搬して所定位置で射出させる光伝搬光学素子、該光伝搬光学素子を有する映像表示装置、および該映像表示装置を有するヘッドマウントディスプレイ（Head Mounted Display、以下、「ＨＭＤ」と記す。）に関する。
【背景技術】
【０００２】
従来から、導光部材に入射された入射光を回折光学素子により回折し、該回折と全反射とを繰り返し発生させることにより伝搬し所定位置で射出させる光伝播光学素子が種々提案されている。
【０００３】
このような光伝搬光学素子においては、回折光学素子に入射される光の波長が長いほど該回折光学素子からの射出角（回折角）が大きくなる。このため、導光部材外部に射出される光の射出位置が波長毎にずれ、色むら（色分散）として現れる問題がある。
【０００４】
そこで、このような色むらの発生を良好に抑えることができる光伝搬光学素子が提案されている。その一例が特許文献１に開示されている。特許文献１に記載の光伝搬光学素子は、３枚の導光板が各導光板よりも低い屈折率を有する材料で構成された薄膜を介して積層された構成を有する。このような薄膜を導光板の間に介在させることにより、波長毎の回折角差に起因する色むらの発生を良好に抑えることができる。以下、説明の便宜上、特許文献１における３枚の導光板を「第一から第三の導光板」、第一と第二の導光板の間の薄膜を「第一の薄膜」、第二と第三の導光板の間の薄膜を「第二の薄膜」と記す。各層は、第一の導光板、第一の薄膜、第二の導光板、第二の薄膜、第三の導光板の順に積層されている。
【０００５】
特許文献１に記載の光伝搬光学素子を具体的に説明すると、まず、３種類の波長の光が回折素子によりそれぞれ異なる回折角を付与されて第一の導光板内部に入射される。回折素子により回折された光のうち最も短い波長の第一の光は、第一の導光板から第二の薄膜までを透過して第三の導光板に入射され、第三の導光板と空気との界面において全反射される。そして、第三の導光板から第一の導光板までを透過して別の回折素子に入射される。また、第一の光より波長の長い第二の光は、第一の導光板から第一の薄膜までを透過して第二の導光板に入射され、第二の導光板と第二の薄膜との界面において全反射される。そして、第二の導光板から第一の導光板までを透過して別の回折素子上に第一の光と略同位置に入射される。また、第二の光より波長の長い第三の光は、第一の導光板に入射され、第一の導光板と第一の薄膜との界面において全反射される。そして、第一の導光板を透過して別の回折素子上に第一および第二の光と略同位置に入射される。このようにして別の回折素子に入射された第一から第三の光は、その一部が該回折素子により回折されて外部に射出されるとともにその残りが反射されて上記と同じ経路を辿る。この繰り返しにより光の射出と伝搬が行われる。
【０００６】
第一から第三の導光板の厚みや屈折率は、光伝搬光学素子から外部に射出される各波長の光のピッチが略等しくなるように適宜選択されている。したがって、各波長の光が略同位置から射出され、色むらの発生が良好に抑えられることとなる。
【先行技術文献】
【特許文献】
【０００７】
【特許文献１】特表２００６−５０１４９９号公報
【発明の概要】
【発明が解決しようとする課題】
【０００８】
このように構成された特許文献１に記載の光伝搬光学素子においては、使用波長の種類に応じた数の導光板と各導光板の間に介在させる薄膜が構造上必要とされる。例えば使用される光がＲＧＢで表現されるカラー映像の光である場合には、Ｒ、Ｇ、Ｂの各波長の光に対応した３枚の導光板、および各導光板の間に介在させる２枚の薄膜からなる５層構造が必要となる。このため重量が重くなり、例えばＨＭＤ等への利用には適さない不都合が指摘される。
【０００９】
また、上述したように各波長の光の射出ピッチを略一致させて色むらを良好に抑えるためには実際上、各層を均一な接着剤を塗布したうえで接着する必要がある。さらには、各導光板の形状自体、具体的には、各波長の光が入射出される２つの面に高い平行度が要求される。つまり、特許文献１に記載の光伝搬光学素子の製造には高精度な部品加工技術および組立技術が要求される。このため、製造コストが高い、リードタイムが長い、歩留まりが悪い等の欠点を有する。
【００１０】
そこで、本発明は上記の事情に鑑みてなされたものであり、その目的とするところは、簡単な構成でありながらも色むらの発生を良好に抑えることができる光伝搬光学素子、該光伝搬光学素子を有する映像表示装置、および該映像表示装置を有するＨＭＤを提供することにある。
【課題を解決するための手段】
【００１１】
上記の課題を解決する本発明の一形態に係る光伝搬光学素子は、表示素子に表示された画像を複数種類の波長の光として伝搬する光学素子であり、表示素子から各波長の光が入射される導光部材と、第一および第二の回折光学素子を有する。第一の回折光学素子は、導光部材に入射された各波長の光を、該導光部材内部で全反射させて波長毎に異なる光路で伝搬させ、かつ表示素子に表示された画像の該表示素子内における画素位置関係が第二の回折光学素子上で再現されるように回折する。第二の回折光学素子は、再現された各画素からの各波長の光を導光部材から略同一方向に射出させるように回折する。
【００１２】
このように本発明に係る光伝搬光学素子は、複数種類の波長の光を伝搬させる媒体が単一の導光部材で構成されているものの、波長に依存した回折角差により導光部材内部で異なる光路を辿る各波長の光を第二の回折光学素子上で再び重ね合わせたうえで射出するように構成されている。このため、色むら（色分散）が良好に抑えられる。
【００１３】
ここで、第二の回折光学素子は、例えば右眼、左眼のそれぞれに各波長の光を導光するため２つ備えられてもよい。この場合において、第一の回折光学素子は、入射された各波長の光を２つに分割するとともに、分割された各光を２つの第二の回折光学素子の各々に入射させるように回折する。
【００１４】
また、上記の課題を解決する本発明の別の形態に係る光伝搬光学素子は、表示素子に表示された画像を複数種類の波長の光として伝搬する光学素子であり、表示素子から入射される各波長の光をそれぞれ二分割する光分割素子と、各波長の全ての分割光が入射される導光部材と、第一の回折光学素子、および分割光毎に対応して備えられた第二の回折光学素子を有する。第一の回折光学素子は、導光部材に入射された各波長の分割光を該導光部材内部で全反射させて波長毎に異なる光路で伝搬させ、かつ表示素子に表示された画像の該表示素子内における画素位置関係が各第二の回折光学素子上で再現されるように回折する。第二の回折光学素子は、再現された各画素からの各波長の光を導光部材から略同一方向に射出させるように回折する。
【００１５】
このように構成された光伝搬光学素子においては、各波長の分割光が入射される導光部材の入射面と光分割素子との間にエアギャップが形成されるように光分割素子を配置する構成が望ましい。
【００１６】
第二の回折光学素子は、再現された各画素からの各波長の光を導光部材の射出面と略垂直をなす方向に揃えて平行光として、または瞳の中心に向かって寄せるように射出する構成が好適である。
【００１７】
第一の回折光学素子は、表示素子に表示された画像の該表示素子内における各波長の画素位置関係を基準として、第二の回折光学素子上に再現される画素位置関係を略同一形状あるいは拡大された相似形状とするように各波長の光を回折する構成としてもよい。
【００１８】
導光部材は、互いに平行な二平面であって、各波長の光が入射される入射面、および各波長の光が射出される射出面を有する板状の光学部材としてもよい。
【００１９】
第一の回折光学素子は、例えば反射型の体積位相型ホログラフィック光学素子、あるいはホログラフィック光学素子と光学レンズの組み合わせの何れかである。一方、第二の回折光学素子は、例えば反射型または透過型の体積位相型ホログラフィック光学素子、あるいはホログラフィック光学素子と光学レンズの組み合わせの何れかとしてもよい。
【００２０】
ここで、第一および第二の回折光学素子がともに反射型の体積位相型ホログラフィック光学素子である場合には、該第一の回折光学素子が射出面上に、該第二の回折光学素子が入射面上に配置されている構成が好適である。第一、第二の回折光学素子がそれぞれ反射型、透過型の体積位相型ホログラフィック光学素子である場合には、該第一および第二の回折光学素子がともに射出面上に配置されている構成が好適である。
【００２１】
第一および第二の回折光学素子は、例えば各波長の光に対応する干渉縞が各々に記録されたフォトポリマーを複数枚積層した構成を有したホログラフィック光学素子としてもよい。または、各波長の光に対応する干渉縞が記録された一層のフォトポリマーからなるホログラフィック光学素子であってもよい。かかるフォトポリマーの層数は、例えば導光部材を伝搬される光の波長の種類と同数または該種類よりも少数としてもよい。また、第一の回折光学素子に記録された干渉縞パターンと第二の回折光学素子に記録された干渉縞パターンは、略同一ピッチであってもよい。
【００２２】
表示素子がフィールドシーケンシャルパネル方式である場合、第一の回折光学素子は、該表示素子内の同一画素から射出された各波長の光を第二の回折光学素子上の略同位置に重ね合わせるように回折する構成としてもよい。表示素子が同時式である場合には、第一の回折光学素子は、画素位置関係が第二の回折光学素子上で忠実に再現されるように該表示素子内の各画素から射出された光を回折する構成としてもよい。
【００２３】
また、上記の課題を解決する本発明の一形態に係る映像表示装置は、各波長の光を射出する光源と、光源から射出された各波長の光に所定の画像信号に応じた変調をかける表示素子と、変調された各波長の光が入射される上記の何れかに記載の光伝播光学素子とを有することを特徴とする。
【００２４】
また、上記の課題を解決する本発明の一形態に係るＨＭＤは、上記に記載の映像表示装置と、第二の回折光学素子が装着者の眼前に位置するように映像表示装置を支持する支持手段とを有することを特徴とする。
【発明の効果】
【００２５】
本発明によれば、簡単な構成でありながらも色むらの発生を良好に抑えることができる光伝搬光学素子、映像表示装置、およびＨＭＤが提供される。
【図面の簡単な説明】
【００２６】
【図１】本発明の実施形態のＨＭＤの外観図である。
【図２】本発明の第一実施形態のＨＭＤの構成を模式的に示す側面図である。
【図３】本発明の第二実施形態のＨＭＤの構成を模式的に示す側面図である。
【図４】本発明の第三実施形態のＨＭＤの構成を模式的に示す側面図である。
【図５】本発明の第一変形例のＨＭＤの構成を模式的に示す側面図である。
【図６】本発明の第二変形のＨＭＤの構成を模式的に示す側面図である。
【図７】本発明の第三変形例のＨＭＤの構成を模式的に示す側面図である。
【発明を実施するための最良の形態】
【００２７】
以下、図面を参照して、本発明の実施形態について説明する。
【００２８】
図１は、本実施形態のＨＭＤ１の外観図である。図１に示されるように、ＨＭＤ１のフレーム２には光学部材（例えばＳＦ１１）からなる導光板１０が嵌め込まれている。フレーム２は、導光板１０を装着者の眼前に位置するように支持する。導光板１０の第一面１０ａの略中央には表示素子ユニット２０が、装着者の眼前に位置する箇所にはホログラフィック光学素子（Holographic Optical
Element、以下、「ＨＯＥ」と記す。）３０Ｒ（または３１Ｒ、３２Ｒ）、３０Ｌ（または３１Ｌ、３２Ｌ）が、それぞれ接着等により第一面１０ａ上に密着固定されている。
【００２９】
表示素子ユニット２０は、例えばフィールドシーケンシャル方式で駆動する画像生成ユニットである。表示素子ユニット２０には、図示省略されたレーザ光源、拡散光学系、マイクロレンズアレイ、および表示素子２１（図２参照）が内蔵されている。レーザ光源は、Ｒ（ＨｅＮｅレーザ）、Ｇ（Ｈｄ：ＹＡＧレーザ）、Ｂ（Ｈｅ−Ｃｄレーザ）の各波長に対応したレーザを有し、各波長の光を高速で順次照射する。各波長の光は、拡散光学系、マイクロレンズアレイに入射されて光量ムラのない均一な平行光に変換されて表示素子２１に入射される。
【００３０】
表示素子２１は、例えばＤＭＤ（Digital Mirror Device）や透過型液晶（LCD T-LCOS）パネル、反射型液晶（LCOS）パネル、ＭＥＭＳ（Micro Electro Mechanical Systems）等であり、各波長の光に画像エンジン（不図示）が生成する画像信号に応じた変調をかける。表示素子２１の有効領域の画素で変調された各波長の光は、所定の光束断面（該有効領域と略同じ形状）をもって導光板１０に入射される。
【００３１】
なお、光利用効率を向上させるため、拡散光学系とマイクロレンズアレイとの間に拡散光学系からの入射光を特定の偏光状態にする偏光板を配置してもよい。また、表示素子ユニット２０は、フィールドシーケンシャル方式の表示素子に限らず、同時式の表示素子（射出面前面に所定の配列のＲＧＢカラーフィルタを有する表示素子）の画像生成ユニットとしてもよい。
【００３２】
図２〜図４はそれぞれ、第一から第三実施形態のＨＭＤ１の構成を模式的に示す側面図である。図２〜図４の各図においては、図面を明瞭化するためフレーム２、および表示素子２１を除く表示素子ユニット２０の構成を図示省略している。以下、図２〜図４の各図を使用して各実施形態のＨＭＤ１の構成について順に説明する。なお、図２〜図４の各図に示されるように、ＨＭＤ１は、表示素子２１と導光板１０の中心を結ぶ中心線Ｘを挟み左右対称構造を有する。また、表示素子２１から導光板１０に入射される各波長の光は、後述するように二分割されて装着者の右眼、左眼のそれぞれに導光される。各眼に導光される各波長の光の光路も中心線Ｘを挟み左右対称である。各実施形態において説明の重複を避けるため、右眼に導光される光を詳細に説明する一方、左眼に導光される光の説明は省略する。
【００３３】
まず、図２を使用して第一実施形態のＨＭＤ１の構成を説明する。図２に示されるように、第一実施形態のＨＭＤ１は、表示素子２１と導光板１０との間の光路であって、導光板１０の第一面１０ａ上に埋設された回折光学素子（Diffractive Optical Element、以下、「ＤＯＥ」と記す。）４０を有する。ＤＯＥ４０は、例えば矩形状を有する。ＤＯＥ４０には、表示素子２１により変調された各波長の光が略垂直に順次入射される。ＤＯＥ４０は、表示素子２１から入射された光を右眼、左眼のそれぞれに導くため左右同一角度に回折して二分割する。ＤＯＥ４０は、波長が長い光ほど大きい回折角で回折する。すなわち、ＤＯＥ４０による各波長の光に対する回折角は、Ｒ、Ｇ、Ｂの順に大きい。
【００３４】
導光板１０の第二面１０ｂ上には、ＨＯＥ５０Ｒと５０Ｌが中心線Ｘを挟み左右対称に隙間無く配列され接着等により密着固定されている。ＨＯＥ５０Ｒおよび５０Ｌは、例えば矩形状を有する反射型の体積位相型ＨＯＥであって、Ｒ、Ｇ、Ｂの各波長の光に対応する干渉縞が各々に記録されたフォトポリマーを三枚積層した構成を有する。すなわち、ＨＯＥ５０Ｒおよび５０Ｌは、Ｒ、Ｇ、Ｂの各波長の光を反射しそれ以外の波長の光を透過する波長選択機能を有するように構成されている。
【００３５】
また、ＨＯＥ５０Ｒおよび５０Ｌは、Ｒ、Ｇ、Ｂの各波長の光に対応する干渉縞が記録された一層のフォトポリマーとしてもよい。説明を加えると、使用波長がｎ（ｎは自然数）種類ある場合には、ＨＯＥ５０Ｒおよび５０Ｌの層構造は、各波長の光に対応する干渉縞が各々に記録されたフォトポリマーをｎ枚積層したもの、或いは、各波長の光に対応する干渉縞が記録された一層のフォトポリマーとなる。
【００３６】
また、二層のフォトポリマーによりＨＯＥ５０Ｒおよび５０Ｌを構成し、Ｒ、Ｇ、Ｂの各波長の光に対応する波長選択機能を付与することも可能である。例として、Ｒ、Ｇの各波長の光に対応する干渉縞が記録された一層のフォトポリマーと、Ｂの波長の光に対応する干渉縞が記録された一層のフォトポリマーの計二層によりＨＯＥ５０Ｒおよび５０Ｌを構成することが考えられる。なお、ＨＯＥ３０Ｒおよび３０Ｌも反射型の体積位相型ＨＯＥであり、ＨＯＥ５０Ｒおよび５０Ｌと干渉縞パターンが相違するものの、ＨＯＥ５０Ｒおよび５０Ｌと同一の層構造を有する。ＨＯＥ３０Ｒおよび３０Ｌと５０Ｒおよび５０Ｌは、例えば干渉縞パターンのピッチが略同一であってもよい。
【００３７】
ＨＯＥ５０Ｒは、順次入射される各波長の光をそれぞれ異なる角度を付与して回折する。ＨＯＥ５０Ｒによる回折作用により各波長の光は、導光板１０と空気との界面で全反射を繰り返して導光板１０内部を伝搬しＨＯＥ３０Ｒに入射される。このように回折作用により付与される回折角は波長に依存して相違するため、従来からの指摘されている不都合、つまり、導光板外部に射出される光の射出位置が波長毎にずれて色むらが生じることが懸念される。
【００３８】
そこで、本実施形態の特徴的構成要素であるＨＯＥ５０Ｒは、ＤＯＥ４０とは逆にＢ、Ｇ、Ｒの順に大きい回折角を付与しつつ、導光板１０（より正確にはＤＯＥ４０）に対する入射位置が略同一の（あるいは別の表現によれば、表示素子２１の有効領域内の略同一座標から射出された）全ての波長の光をＨＯＥ３０Ｒ上の略同位置に入射させるように回折する。すなわち、導光板１０の略同位置に入射される各波長の光は、波長に依存した回折角差により導光板１０内部で異なる光路を進行するものの、ＨＯＥ３０Ｒ上で再び重ね合わせられる。別の観点によれば、ＨＯＥ５０Ｒは、表示素子２１の有効領域に表示された画像の該有効領域内における画素位置関係がＨＯＥ３０Ｒ上で忠実に再現されるようにＲＧＢの各波長の光を回折する。
【００３９】
このように本実施形態においてＨＯＥ５０Ｒは、表示素子２１の有効領域内の略同一座標から射出された全ての波長の光をＨＯＥ３０Ｒ上の略同位置に入射させるように回折する。一方、別の実施形態においては、ＨＯＥ５０Ｒは、表示素子２１の有効領域内で相対的にずらされた本来同一画素をなす全ての波長の光をＨＯＥ３０Ｒ上の略同位置に入射させるように回折するように構成されてもよい。
【００４０】
ＨＯＥ３０Ｒ上で重ね合わせられた各波長の光は、ＨＯＥ３０Ｒにより回折されて導光板１０の第二面１０ｂから外部に略垂直に順次射出される。このように平行光として射出された各波長の光は、表示素子２１により生成された画像の虚像として装着者の網膜に結像する。また、装着者が拡大画像の虚像を観察できるように、ＨＯＥ３０Ｒにコンデンサ作用を付与してもよい。すなわち、ＨＯＥ３０Ｒの周辺領域に入射された光ほど瞳の中心に寄るように角度をもって射出され装着者の網膜に結像するようにしてもよい。あるいは、装着者に拡大画像の虚像を観察させるために、ＨＯＥ５０Ｒは、ＨＯＥ３０Ｒ上での画素位置関係が表示素子２１の有効領域に表示された画像の該有効領域内における画素位置関係に対して拡大された相似形状をなすようにＲＧＢの各波長の光を回折するようにしてもよい。
【００４１】
各波長の光は装着者の網膜上に高速で順次結像されるため、装着者は、表示素子２１による生成画像をカラー画像として認識することとなる。なお、装着者の眼と表示素子２１との実際の距離は数十ｍｍ程度に過ぎない。しかし、各波長の光は平行光として眼球に入射されるため、装着者は、無限遠視したときに表示素子２１による生成画像を明瞭に視認することができる。
【００４２】
別の観点によれば、ＨＯＥ５０Ｒは、導光板１０から射出される光束の断面が、表示素子２１からＤＯＥ４０に入射される光束の断面と略同一形状かつ等倍となるように各光線をＨＯＥ３０Ｒ上に入射させる。したがって、装着者は、表示素子２１による生成画像を略等倍で視認することができる。
【００４３】
このようにＨＯＥ５０Ｒによる回折作用により導光板１０内部で異なる光路を辿った各波長の光は、再び重ね合わせられるようにして導光板１０から射出されて装着者の眼に導光される。よって、各波長の光を伝搬する媒体が単一の導光板１０によって構成されているにも拘わらず、波長に依存した回折角差に起因する色むらの発生が良好に抑えられる。
【００４４】
また、各波長の光を伝搬する媒体を単層構造としたため、各波長の光を伝搬する光伝搬光学素子（導光板１０、ＤＯＥ４０、ＨＯＥ３０Ｒ、３０Ｌ、５０Ｒ、５０Ｌ）が単純な構成となる。かかる構成は、ＨＭＤ１の軽量化、製造コスト、リードタイム、歩留まり等の面で極めて有利である。なお、ＨＭＤ１を軽量化させることにより、例えば装着者の負担を軽減する効果が期待される。その結果、装着者は、ＨＭＤ１を長時間着用できるようになる。
【００４５】
また、光源の種類、使用波長等によっては、導光板１０内部を複数種類の波長の光が同時に伝搬する場合に干渉が生じてフリッカ等が発生する虞がある。しかし、ＨＭＤ１においてはフィールドシーケンシャル方式の表示システムが採用されているため、上記干渉は有効に避けられる。
【００４６】
次に、図３を使用して第二実施形態のＨＭＤ１の構成を説明する。なお、以降の実施形態において第一実施形態の構成と同一または同様の構成には同一または同様の符号を付して説明を省略する。
【００４７】
図３（ａ）に示されるように、第二実施形態のＨＭＤ１においては、表示素子２１と導光板１０との間の光路にＤＯＥ４１が配置されている。すなわち、第二実施形態のＨＭＤ１は、第一実施形態のＨＭＤ１と異なり導光板１０とＤＯＥ４１との間にエアギャップを有する。ＤＯＥ４１には、表示素子２１により変調された各波長の光が略垂直に順次入射される。ＤＯＥ４１は、表示素子２１から入射された光を右眼、左眼のそれぞれに導くため左右同一角度に回折して二分割する。分割された各光は、導光板１０の第一面１０ａに入射される。
【００４８】
第二実施形態のＨＭＤ１は、同一の干渉縞パターンを持つＨＯＥ５１Ｒと５１Ｌを有する。ＨＯＥ５１Ｒと５１Ｌは、互いの中心が一致し、かつ干渉縞パターンが１８０°反転された状態で積層されている。そして、積層された状態でその中心が中心線Ｘと一致するように導光板１０の第二面１０ｂ上に接着等により密着固定されている。なお、ＨＯＥ５１Ｒと５１Ｌは、それぞれが１〜３層のフォトポリマーからなる別個独立した要素であるが、別の実施形態では単一の要素、つまり一層のフォトポリマーより構成されてもよい。
【００４９】
導光板１０内部を伝搬されるＢ、Ｇ、Ｒの各波長の光の光路を図３（ｂ）、（ｃ）、（ｄ）の各図に示す。図３（ｂ）〜（ｄ）の各図に示されるように、ＨＯＥ５１Ｒ（または５１Ｌ）は、ＤＯＥ４１により右眼（または左眼）に導光されるように分割された各波長の光をそれぞれ異なる角度を付与して回折する。詳細には、ＨＯＥ５１Ｒは、各波長の光を導光板１０内部で全反射させつつ、導光板１０に対する入射位置が略同一の（あるいは別の表現によれば、表示素子２１の有効領域内の略同一座標から射出された）全ての波長の光をＨＯＥ３１Ｒ上の略同位置に入射させるように回折する。
【００５０】
このように第二実施形態においても第一実施形態と同様に、導光板１０の略同位置に入射される各波長の光は、波長に依存した回折角差により導光板１０内部で異なる光路を辿るものの、ＨＯＥ３１Ｒ上で再び重ね合わせられる。この結果、各波長の光は、導光板１０の第二面１０ｂから平行光として（またはＨＯＥ３０Ｒの周辺領域に入射された光ほど瞳の中心に寄るように角度をもって）射出され、表示素子２１により生成された画像の虚像として装着者の網膜に結像することとなる。
【００５１】
このように第二実施形態においても第一実施形態と同様に光伝搬光学素子（導光板１０、ＤＯＥ４１、ＨＯＥ３１Ｒ、３１Ｌ、５１Ｒ、５１Ｌ）を単純な構成とすることができ、ＨＭＤ１の軽量化、製造コスト、リードタイム、歩留まり等の面で極めて有利である。
【００５２】
ところで、第一実施形態においては、ＨＯＥ５０Ｒや５０Ｌによる回折光は、導光板１０ａとＤＯＥ４０との界面に入射された場合にその一部がＤＯＥ４０に戻る虞がある。これは、光量損失の原因となるため望ましくない。このため、第一実施形態においては、最小の回折角と導光板１０の厚みとを思料し、導光板１０ａとＤＯＥ４０との界面に回折光が入射しないよう導光板１０にある程度の厚みを持たせる必要があった。一方、第二実施形態においては、導光板１０とＤＯＥ４１との間にエアギャップを与えている。したがって、ＨＯＥ５１Ｒや５１Ｌによる回折光は、たとえ第一実施形態において導光板１０ａとＤＯＥ４０との界面であった領域に入射されたとしても導光板１０と空気との屈折率差により全反射することとなる。すなわち、第二実施形態においては、導光板１０の厚みを決定する際にＤＯＥ４１への戻り光を考慮する必要がない。このため、導光板１０の厚みを薄く設計することができ、ＨＭＤ１のさらなる軽量化に好適である。
【００５３】
続いて、図４を使用して第三実施形態のＨＭＤ１の構成を説明する。図４（ａ）に示されるように、第三実施形態のＨＭＤ１においては、表示素子２１と導光板１０との間の光路に何れの光学素子も配置されていない。すなわち、表示素子２１により変調された各波長の平行光は、第一面１０ａから導光板１０に直接入射される。
【００５４】
第三実施形態のＨＭＤ１は、同一の干渉縞パターンを持つＨＯＥ５２Ｒと５２Ｌを有する。ＨＯＥ５２Ｒと５２Ｌは、互いの中心が一致し、かつ干渉縞パターンが１８０°反転された状態で積層されている。そして、積層された状態でその中心が中心線Ｘと一致するように導光板１０の第二面１０ｂ上に接着等により密着固定されている。また、ＨＯＥ５２Ｒおよび５２Ｌは、ＨＯＥ５０Ｒや５０Ｌ等と同様の回折機能とともにＤＯＥ４０等と同様の回折機能、つまり表示素子２１からの入射光を左右に二分割する機能も併せ持つ。ＨＯＥ５２Ｒおよび５２Ｌは、ＤＯＥとＨＯＥを一体形成した構成とも云える。なお、ＨＯＥ５２Ｒと５２Ｌは、第二実施形態と同様に単一の要素、つまり一層のフォトポリマーより構成されてもよい。
【００５５】
導光板１０内部を伝搬されるＢ、Ｇ、Ｒの各波長の光の光路を図４（ｂ）、（ｃ）、（ｄ）の各図に示す。図４（ｂ）〜（ｄ）の各図に示されるように、ＨＯＥ５２Ｒ（または５２Ｌ）は、各波長の光を右眼（または左眼）に導光されるように分割するとともにそれぞれ異なる角度を付与して回折する。より詳細には、ＨＯＥ５２Ｒは、各波長の光を二分割して導光板１０内部で全反射させ、かつ導光板１０に対する入射位置が略同一の（あるいは別の表現によれば、表示素子２１の有効領域内の略同一座標から射出された）全ての波長の光をＨＯＥ３２Ｒ上の略同位置に入射させるように回折する。
【００５６】
このように第三実施形態においても第一、第二実施形態と同様に、導光板１０の略同位置に入射される各波長の光は、波長に依存した回折角差により導光板１０内部で異なる光路を辿るものの、ＨＯＥ３２Ｒ上で再び重ね合わせられる。この結果、各波長の光は、導光板１０の第二面１０ｂから平行光として（またはＨＯＥ３０Ｒの周辺領域に入射された光ほど瞳の中心に寄るように角度をもって）射出され、表示素子２１により生成された画像の虚像として装着者の網膜に結像することとなる。
【００５７】
第三実施形態においても第一、第二実施形態と同様に光伝搬光学素子（導光板１０、ＨＯＥ３２Ｒ、３２Ｌ、５２Ｒ、５２Ｌ）を単純な構成とすることができ、ＨＭＤ１の軽量化、製造コスト、リードタイム、歩留まり等の面で極めて有利である。また、第三実施形態においては、ＤＯＥを削減できるため、ＨＭＤ１のさらなる軽量化、製造コストダウン、リードタイム短縮、歩留まり向上等が達成される。また、ＤＯＥによる光量損失も無くなるため、ＨＭＤ１全体としての光利用効率が向上する効果も得られる。
【００５８】
なお、第一から第三の各実施形態においては、右眼用、左眼用の表示素子を別個に備えること無く単板の表示素子２１を備える構成が採用されている。このため、製造コストダウン等の効果が得られる。また、共通の物点からの光（すなわち単板の表示素子２１の画像）を同一の光路長を経て装着者の各眼に導光している。このため、装着者の各眼に対して同期した画像を入射させることができる。
【００５９】
次に、これまで説明された各実施形態のＨＭＤ１の具体例を説明する。以下は、各具体例におけるＨＭＤ１の共通の仕様である。
λＢ：４５７．９
λＧ：５３２．０
λＲ：６３２．８
ｎＢ：１．８１６０
ｎＧ：１．７９４０
ｎＲ：１．７７８６
ＬＲ：２３．５
ＬＬ：２３．５
「λＢ」、「λＧ」、「λＲ」はレーザ光源から発光されて装着者の眼に導光されるＢ、Ｇ、Ｒの各光の波長（単位：ｍｍ）、「ｎＢ」、「ｎＧ」、「ｎＲ」はＢ、Ｇ、Ｒの各波長の光に対する導光板１０の屈折率、「ＬＲ」はＨＯＥ３０Ｒ（または３１Ｒ、３２Ｒ）の中心を通る法線ＸＲと中心線Ｘとの距離（単位：ｍｍ）、「ＬＬ」はＨＯＥ３０Ｌ（または３１Ｌ、３２Ｌ）の中心を通る法線ＸＬと中心線Ｘとの距離（単位：ｍｍ）、をそれぞれ示す。
【００６０】
まず、第一実施形態の具体例を説明する。第一実施形態のＨＭＤ１の個別的な具体的数値構成は次の通りである。
ｔ    ：５．０
ｄ    ：０．５０４
θＩＢ          ：０
θＩＧ          ：０
θＩＲ          ：０
θＤＢ、θ’ＩＢ  ：３０．０００
θＤＧ、θ’ＩＧ  ：３６．０００
θＤＲ、θ’ＩＲ  ：４４．８７０
θ’ＤＢ、θ”ＩＢ：３９．５０６
θ’ＤＧ、θ”ＩＧ：３８．４７４
θ’ＤＲ、θ”ＩＲ：３６．５３５
θ”ＤＢ        ：０
θ”ＤＧ        ：０
θ”ＤＲ        ：０
「ｔ」は導光板１０の厚み（単位：ｍｍ）、「ｄ」はＤＯＥ４０（またはＤＯＥ４１）の回折ピッチ（単位：μｍ）、「θＩＢ」、「θＩＧ」、「θＩＲ」はＤＯＥ４０（またはＤＯＥ４１）へのＢ、Ｇ、Ｒの各波長の光の入射角（単位：ｄｅｇ）、「θＤＢ」、「θＤＧ」、「θＤＲ」はＤＯＥ４０（またはＤＯＥ４１）によるＢ、Ｇ、Ｒの各波長の光の回折角（単位：ｄｅｇ）、「θ’ＩＢ」、「θ’ＩＧ」、「θ’ＩＲ」はＨＯＥ５０Ｒ（またはＨＯＥ５０Ｌ〜５２Ｌ、５１Ｒ、５２Ｒ）へのＢ、Ｇ、Ｒの各波長の光の入射角（単位：ｄｅｇ）、「θ’ＤＢ」、「θ’ＤＧ」、「θ’ＤＲ」はＨＯＥ５０Ｒ（またはＨＯＥ５０Ｌ〜５２Ｌ、５１Ｒ、５２Ｒ）によるＢ、Ｇ、Ｒの各波長の光の回折角（単位：ｄｅｇ）、「θ”ＩＢ」、「θ”ＩＧ」、「θ”ＩＲ」はＨＯＥ３０Ｒ（またはＨＯＥ３０Ｌ〜３２Ｌ、３１Ｒ、３２Ｒ）へのＢ、Ｇ、Ｒの各波長の光の入射角（単位：ｄｅｇ）、「θ”ＤＢ」、「θ”ＤＧ」、「θ”ＤＲ」はＨＯＥ３０Ｒ（またはＨＯＥ３０Ｌ〜３２Ｌ、３１Ｒ、３２Ｒ）によるＢ、Ｇ、Ｒの各波長の光の回折角（単位：ｄｅｇ）を、それぞれ示す。
【００６１】
また、ＤＯＥ４０は５．２ｍｍ幅、ＨＯＥ３０Ｒ、３０Ｌは５．５ｍｍ幅ＨＯＥ５０Ｒ、５０Ｌは８．０ｍｍ幅を有する。なお、奥行き寸法（上記の幅（図２〜４の各図の紙面）に直交する方向の寸法）は、表示素子２１の有効領域や表示される画面サイズ等に応じて適宜決められる。
【００６２】
第一実施形態の具体例においてＨＭＤ１は、次の３つの条件を最低限満足するように設計されている。一つの条件は、ＤＯＥ４０に対する入射位置が略同一の全ての波長の光をＨＯＥ３０Ｒ（またはＨＯＥ３０Ｌ）上の略同位置に入射させることである。もう一つの条件は、導光板１０と空気との界面における反射角度を適切にコントロールするため、図２中、ＤＯＥ４０の左端（または右端）に入射、回折されたＢ光の第二面１０ｂへの最初の入射位置が中心線Ｘより右側（または左側）になるように回折角等を決定することである。残りの一つの条件は、ＨＯＥ５０Ｒまたは５０Ｌによる最小の回折角の光（すなわちＢ光）がＤＯＥ４０に再入射しないよう該最小の回折角の光および導光板１０の厚みｔを適切に選択することである。
【００６３】
次に、第二実施形態の具体例を説明する。第二実施形態のＨＭＤ１の個別的な具体的数値構成は次の通りである。
ｔ            ：２．０
ｄ            ：０．７１２
θＩＢ          ：０
θＩＧ          ：０
θＩＲ          ：０
θＤＢ          ：４０．０５４
θＤＧ          ：４８．３８７
θＤＲ          ：６２．７８５
θ’ＩＢ        ：２０．７５４
θ’ＩＧ        ：２４．６２９
θ’ＩＲ        ：３０．０００
θ’ＤＢ、θ”ＩＢ：５８．３８４
θ’ＤＧ、θ”ＩＧ：５８．２０４
θ’ＤＲ、θ”ＩＲ：５７．９３２
θ”ＤＢ        ：０
θ”ＤＧ        ：０
θ”ＤＲ        ：０
【００６４】
また、ＤＯＥ４１は５．２ｍｍ幅、ＨＯＥ３１Ｒ、３１Ｌは５．５ｍｍ幅、ＨＯＥ５１Ｒ、５１Ｌは７．２ｍｍ幅を有する。
【００６５】
第二実施形態の具体例においてＨＭＤ１は、次の２つの条件を最低限満足するように設計されている。一つの条件は、ＤＯＥ４１に対する入射位置が略同一の全ての波長の光をＨＯＥ３１Ｒ（またはＨＯＥ３１Ｌ）上の略同位置に入射させることである。もう一つの条件は、導光板１０と空気との界面における反射角度を適切にコントロールするため、図３中、ＤＯＥ４１の左端（または右端）に入射、回折されたＢ光の第二面１０ｂへの二回目の入射位置が、ＨＯＥ５１Ｒの右端（またはＨＯＥ５１Ｌの左端）より右側（または左側）になるように回折角等を決定することである。
【００６６】
第二実施形態においては、ＨＯＥ５１Ｒまたは５１Ｌによる回折光のＤＯＥ４１への入射を考慮する必要がないため、導光板１０の厚みｔを薄くしてＨＭＤ１を軽量化させることができる。また、厚みｔを薄型化させることにより各波長の光の全反射回数が増加する。かかる全反射回数の増加に伴い、ＤＯＥ４１に対する入射位置が略同一の全ての波長の光が第一面１０ａ上の略同位置に入射する頻度も高くなる。このため、第二面１０ｂから各波長の光が射出される位置（すなわちＨＯＥ３１Ｒ（またはＨＯＥ３１Ｌ）が配置される位置）を装着者の眼幅に合わせてより精細に設定できるようになる。
【００６７】
続いて、第三実施形態の具体例を説明する。第三実施形態のＨＭＤ１の個別的な具体的数値構成は次の通りである。
ｔ            ：２．０
θ’ＩＢ        ：０
θ’ＩＧ        ：０
θ’ＩＲ        ：０
θ’ＤＢ、θ”ＩＢ：５２．５４９
θ’ＤＧ、θ”ＩＧ：５９．２１６
θ’ＤＲ、θ”ＩＲ：６６．９４９
θ”ＤＢ        ：０
θ”ＤＧ        ：０
θ”ＤＲ        ：０
【００６８】
また、ＨＯＥ３２Ｒ、３２Ｌは５．５ｍｍ幅、ＨＯＥ５２Ｒ、５２Ｌは５．２ｍｍ幅を有する。
【００６９】
第三実施形態の具体例においてＨＭＤ１は、次の２つの条件を最低限満足するように設計されている。一つの条件は、導光板１０に対する入射位置が略同一の全ての波長の光をＨＯＥ３２Ｒ（またはＨＯＥ３２Ｌ）上の略同位置に入射させることである。もう一つの条件は、導光板１０と空気との界面における反射角度を適切にコントロールするため、図４中、ＨＯＥ５２Ｒの左端（またはＨＯＥ５２Ｌの右端）に入射、回折されたＢ光の第二面１０ｂへの二回目の入射位置がＨＯＥ５２Ｒの右端（またはＨＯＥ５２Ｌの左端）より右側（または左側）になるように回折角等を決定することである。なお、図４においては、図面縮尺の関係上二つ目の条件が満足されていないように見えるが、実際には当該条件が満足されていることを言い添えておく。
【００７０】
第三実施形態においては、ＨＯＥ５２Ｒまたは５２Ｌによる回折光のＤＯＥへの入射を考慮する必要がないため、導光板１０の厚みｔを薄くしてＨＭＤ１を軽量化させることができる。また、ＤＯＥを削減したことによるＨＭＤ１全体としての光利用効率向上、およびＨＭＤ１のさらなる軽量化、製造コストダウン、リードタイム短縮、歩留まり向上等が達成される。
【００７１】
第三実施形態においては、導光板１０の厚みｔをさらに薄型化させた設計もあり得る。導光板１０の厚みｔを１．８ｍｍまたは１．５ｍｍとした場合を例に考える。厚みｔが１．８ｍｍ、１．５ｍｍの場合はそれぞれ、次の具体的数値構成を満足することにより既に説明された第三実施形態と同様の効果が得られる。なお、ここで挙げられていない具体的数値構成は、既に説明された第三実施形態の具体的数値構成と同一である。
（厚みｔが１．８ｍｍの場合）
θ’ＤＢ、θ”ＩＢ：５５．４１９
θ’ＤＧ、θ”ＩＧ：６１．８０１
θ’ＤＲ、θ”ＩＲ：６９．０４５
（厚みｔが１．５ｍｍの場合）
θ’ＤＢ、θ”ＩＢ：６０．１２４
θ’ＤＧ、θ”ＩＧ：６５．９２５
θ’ＤＲ、θ”ＩＲ：７２．３００
このように導光板１０の厚みｔをさらに薄型化させることにより、ＨＭＤ１のさらなる軽量化が達成される。
【００７２】
以上が本発明の実施形態の説明である。本発明は、各実施形態の構成および具体的数値構成等に限定されるものではなく、本発明の技術的思想の範囲において様々な変形が可能である。例えばＬＲとＬＬの合計距離が装着者の眼幅に高精度に一致するように各実施形態の具体的数値構成を適宜選択する。これにより、装着者の眼幅に最適な位置から各波長の光が射出されるようにＨＭＤ１を構成することができる。
【００７３】
各実施形態のＨＭＤ１が有するＨＯＥは何れも反射型ＨＯＥであるが、ＨＯＥ３０Ｒ、３１Ｒ、３２Ｒ、３０Ｌ、３１Ｌ、および３２Ｌを透過型ＨＯＥに置き換えてＨＭＤ１を構成してもよい。図２〜４に示される第一から第三の各実施形態の変形例として、ＨＯＥ３０Ｒ、３１Ｒ、３２Ｒ、３０Ｌ、３１Ｌ、３２Ｌを透過型ＨＯＥであるＨＯＥ３０’Ｒ、３１’Ｒ、３２’Ｒ、３０’Ｌ、３１’Ｌ、３２’Ｌに置き換えた構成が考えられる。図５〜７のそれぞれに、第一から第三実施形態の変形例である第一から第三変形例のＨＭＤ１の構成を模式的な側断面図で示す。
【００７４】
第一から第三変形例においては、ＨＯＥ３０’Ｒ、３１’Ｒ、３２’Ｒ、３０’Ｌ、３１’Ｌ、および３２’Ｌは、図５〜７に示されるように、図２〜４の各実施形態のＨＯＥ３０Ｒ、３１Ｒ、３２Ｒ、３０Ｌ、３１Ｌ、３２Ｌの取付位置と正対する導光板１０の第二面１０ｂ上に取り付けられている。第一から第三変形例のＨＭＤ１は、透過型ＨＯＥを採用しているものの、性能的には第一から第三実施形態のＨＭＤ１と実質的に同じである。
【００７５】
また、第一から第三実施形態（または第一から第三変形例）のさらなる変形例としては、例えばＨＯＥ３０Ｒにより回折されて第二面１０ｂから射出された光束（または第二面１０ｂから射出されてＨＯＥ３０Ｒにより回折された光束）が入射される位置（つまり装着者の眼前にくる位置）に配置された接眼レンズをさらに有する構成も考えられる。
【００７６】
また、表示素子ユニット２０が有する光源は、例えばＲ、Ｇ、Ｂの各波長の光を高速で順次照射するＬＥＤ又はＬＤ（半導体レーザ）バックライトとしてもよい。
【００７７】
また、第一実施形態等のＨＭＤ１においては、左眼用、右眼用それぞれについて同一構成のＨＯＥが干渉縞パターンを１８０°反転された状態で配置されている。しかし、ＨＯＥは、左眼用と右眼用とで同一構成である必要はない。第一実施形態等のＨＭＤ１と実質的に同一の性能が担保される限り、左眼用、右眼用のＨＯＥは互いに相違する構成であってもよい。
【符号の説明】
【００７８】
１  ＨＭＤ
２  フレーム
１０  導光板
２０  表示素子ユニット
３０Ｒ〜３２Ｒ、３０Ｌ〜３２Ｌ、５０Ｒ〜５２Ｒ、５０Ｌ〜５２Ｌ  ＨＯＥ
４０、４１  ＤＯＥ
【図１】
2010033026.tif 000003
【図２】
2010033026.tif 000004
【図３】
2010033026.tif 000005
【図４】
2010033026.tif 000006
【図５】
2010033026.tif 000007
【図６】
2010033026.tif 000008
【図７】
2010033026.tif 000009